(57)【要約】【課題】アクセスポイントを備える無線通信システム内でマルチユーザ／マルチサービスを処理する方法を提供する。【解決手段】本方法は、アクセスポイントによってマルチユーザ／マルチサービスのデータパケットを集合させ、マルチユーザ／マルチサービスのデータパケットをアクセスポイント内のコンテナ内にカプセル化するステップと、アクセスポイントによってコンテナ内のカプセル化されたデータを符号化し変調するステップと、アクセスポイントによってコンテナ内の符号化され変調されたデータを物理リソースにマッピングし、コンテナ内の符号化され変調されたデータをトラフィックチャネルを介して放出するステップとを含む。本発明によれば、無線通信システムの効率は向上されることができ、遅延は低減され得る。【選択図】      図１
2006094484.tif 000002
【特許請求の範囲】
【請求項１】
アクセスポイントを備える無線通信システム内でマルチユーザ／マルチサービスを処理する方法であって、
アクセスポイントによってマルチユーザ／マルチサービスのデータパケットを集合させ、マルチユーザ／マルチサービスのデータパケットをアクセスポイント内のコンテナ内にカプセル化するステップと、
アクセスポイントによってコンテナ内のカプセル化されたデータを符号化し変調するステップと、
アクセスポイントによってコンテナ内の符号化され変調されたデータを物理リソースにマッピングし、コンテナ内の符号化され変調されたデータをトラフィックチャネルを介して放出するステップとを含むことを特徴とする方法。
【請求項２】
コンテナが、
複数のユーザの識別子情報を運ぶためのコンテナヘッダと、
複数のユーザのデータパケットを運ぶためのコンテナ本体とを備えることを特徴とする請求項１に記載のマルチユーザ／マルチサービスを処理する方法。
【請求項３】
同一のまたは同様のチャネル条件を有する複数のユーザのデータパケットが、アクセスポイント内の同一のコンテナ内にカプセル化されることを特徴とする請求項１に記載のマルチユーザ／マルチサービスを処理する方法。
【請求項４】
アクセスポイントによって、使用される符号化および変調方式、コンテナ内に含まれるユーザの数、およびコンテナ内の符号化され変調されたデータと物理リソースの間のマッピング関係を制御チャネルを介してブロードキャストするステップをさらに含むことを特徴とする請求項１に記載のマルチユーザ／マルチサービスを処理する方法。
【請求項５】
無線通信システムが直交周波数分割多重無線通信システムであることを特徴とする請求項１から４のいずれか一項に記載のマルチユーザ／マルチサービスを処理する方法。
【請求項６】
複数の移動端末を備える無線通信システムでマルチユーザ／マルチサービスを処理する方法であって、
複数の移動端末によって、コンテナ内に集合されたマルチユーザ／マルチサービスのデータの符号化および変調方式、コンテナ内に含まれるユーザの数、ならびにコンテナ内の符号化され変調されたデータと物理リソースの間のマッピング関係を制御チャネルを介して受信するステップと、
上記ステップで取得された情報に従って、複数の移動端末によって、複数のユーザの識別子情報を運ぶコンテナヘッダと、複数のユーザのデータパケットを運ぶコンテナ本体とを備えるコンテナ内に集合されたマルチユーザ／マルチサービスのデータを、トラフィックチャネルを介して受信し、コンテナを回復し、コンテナヘッダ内のデータを復号するステップと、
複数の移動端末によって、コンテナがそれに属するデータパケットを含むか否かを判断するステップと、
コンテナがそれに属するデータパケットを含むことを検出する場合には、複数の移動端末によって、コンテナのコンテナ本体内のデータを復号するステップとを含むことを特徴とする方法。
【請求項７】
無線通信システムが直交周波数分割多重無線通信システムであることを特徴とする請求項６に記載のマルチユーザ／マルチサービスを処理する方法。
【請求項８】
マルチユーザ／マルチサービスのデータパケットを運ぶためのコンテナを備える、マルチユーザ／マルチサービスのデータパケットを集合させるための集合手段と、
コンテナで運ばれるデータを符号化し変調するための符号化および変調手段と、
コンテナ内の符号化され変調されたデータを物理リソースにマッピングするためのマッピング手段とを備えるアクセスポイント。
【請求項９】
コンテナが、
複数のユーザの識別子情報を運ぶためのコンテナヘッダと、
複数のユーザのデータパケットを運ぶためのコンテナ本体とからなることを特徴とする請求項８に記載のアクセスポイント。
【請求項１０】
使用される符号化および変調方式、コンテナ内に含まれるユーザの数、及び符号化され変調されたデータと物理リソースの間のマッピング関係を制御チャネルを介して受信し、複数のユーザの識別子情報を運ぶコンテナヘッダと、複数のユーザのデータパケットを運ぶコンテナ本体とを備えるコンテナ内に集合されたマルチユーザ／マルチサービスのデータをトラフィックチャネルを介して受信するための受信手段と、
受信手段によって制御チャネルを介して受信された情報、および受信手段によってトラフィックチャネルを介して受信されたコンテナ内に集合されたマルチユーザ／マルチサービスのデータに従って、コンテナを回復し、コンテナのコンテナヘッダ内のデータを復号するための回復および第１復号手段と、
回復および第１復号手段によって取得されたコンテナヘッダ内のデータの復号化結果に従って、コンテナがそれに属するデータパケットを含むか否かを判断するための判断手段と、
コンテナがそれに属するデータパケットを含むと判断する場合には、コンテナ本体内のデータを復号して、それによってそれに属するデータパケットを取得するための第２の復号手段とを備える移動端末。
【発明の詳細な説明】
【技術分野】
【０００１】
本出願は、２００４年９月２０日に出願された中国特許出願第２００４１００６６５０４．Ｘ号に基づく。同特許の開示全体が参照として本明細書に組み込まれ、またその優先権が、Ｕ．Ｓ．Ｃ．３５、セクション１１９のもとに本明細書で主張される。
【０００２】
本発明は、無線通信に関し、特に、マルチユーザ／マルチサービスを処理する方法および装置に関する。
【背景技術】
【０００３】
時間の経過および技術の進歩に伴い、モビリティおよび情報の需要が急増している。ますます多くの人が、移動する間にインターネットへの高速アクセスを有し、緊急の情報を取得し、それによって所望の事柄を完了することを望んでいる。したがって、モビリティをインターネットと統合させることは、動かし難い動向である。
【０００４】
将来の無線通信では、エアインターフェースは、インターネットプロトコル（ＩＰ）指向のエアインターフェースであるべきであり、すべてのサービスがＩＰを介して送信され、様々な異種のネットワーク間のシームレスなローミングおよびハンドオーバがサポートされる。
【０００５】
すべての既存の無線通信規格は、ＩＰベースのデータサービスを処理場合に、十分な考慮を行う。たとえば、広帯域符号分割多重アクセス（ＷＣＤＭＡ）は、複数のユーザのデータパケットが１つの同一のチャネルを介して共有され−送信されることを可能にするためのシェアドチャネルを提供する。米国電気電子学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）によって策定される８０２．１１および８０２．１６など、一部の新しい無線通信規格は、まさに最初にデータ通信の特性を考慮することから設計される。
【０００６】
しかし、本質的には、すべてのこうした既存の規格は、ＩＰの特徴を無線システムの特性と統合させずに適応させることによって、単にＩＰ層の送信を無線送信にマッピングする。これは、システムの全体的なパフォーマンスを明らかに低減させる。たとえば、エンドツーエンドの遅延の影響を非常に受けやすい伝送制御プロトコル（ＴＣＰ）は、大きい遅延の場合には送信ウィンドウのサイズを縮小し、それによってスループットを低下させる。無線通信では、より大きい符号化利得を得るために比較的に長い符号化ブロックが使用され、また時間選択的なフェージングに効果的に耐えるために比較的に長いインタリーブブロックが使用される。しかし、長い符号化ブロックおよび長いインタリーブブロックは、データパケットの遅延を増加させ、最終的にはシステムの全体的なパフォーマンスに影響を及ぼす。こうした影響は、データパケットが小さい場合に特に顕著である。
【０００７】
一般に、無線通信システム内でＩＰベースのデータを処理する既存の方法は以下のように要約され得る：到着するとデータパケットは、セグメント化またはアセンブルによって固定サイズの物理層データ単位に形成され、符号化し、物理層でインタリーブし、物理リソースにマッピングされた後に、その単位が無線チャネルで放出される。あるユーザのあるサービスのデータパケットだけが毎回送信され得るので、データパケットが非常に小さい場合には、ビットで埋められ、または後続のデータパケットを待つ必要がある。これは、リソースを浪費し、または遅延を増加させる。
【発明の開示】
【発明が解決しようとする課題】
【０００８】
本発明の一目的は、上記で指摘した問題を克服し、無線通信システムの効率を高め、遅延を低減させることである。
【課題を解決するための手段】
【０００９】
上述の目的を達成するために、本発明は、アクセスポイントを備える無線通信システム内でマルチユーザ／マルチサービスを処理する方法であって、アクセスポイントによってマルチユーザ／マルチサービスのデータパケットを集合させ、マルチユーザ／マルチサービスのデータパケットをアクセスポイント内のコンテナ内にカプセル化するステップと、アクセスポイントによってコンテナ内のカプセル化されたデータを符号化し変調するステップと、アクセスポイントによってコンテナ内の符号化され変調されたデータを物理リソースにマッピングし、コンテナ内の符号化され変調されたデータをトラフィックチャネルを介して放出するステップとを含むことを特徴とする方法を提案する。
【００１０】
本発明は、複数の移動端末を備える無線通信システム内でマルチユーザ／マルチサービスを処理する方法であって、複数の移動端末によって、コンテナ内に集合されたマルチユーザ／マルチサービスのデータの符号化および変調方式、コンテナ内に含まれるユーザの数、ならびにコンテナ内の符号化され変調されたデータと物理リソースの間のマッピング関係を制御チャネルを介して受信するステップと、上記ステップで取得された情報に従って、複数の移動端末によって、複数のユーザの識別子情報を運ぶコンテナヘッダと、複数のユーザのデータパケットを運ぶコンテナ本体とを備えるコンテナ内に集合されたマルチユーザ／マルチサービスのデータを、トラフィックチャネルを介して受信し、コンテナを回復し、コンテナヘッダ内のデータを復号するステップと、複数の移動端末によって、コンテナがそれに属するデータパケットを含むか否かを判断するステップと、コンテナがそれに属するデータパケットを含むことを検出する場合には、複数の移動端末によって、コンテナのコンテナ本体内のデータパケットを復号するステップとを含むことを特徴とする方法をも提供する。
【００１１】
本発明はさらに、マルチユーザ／マルチサービスのデータパケットを運ぶためのコンテナを備える、マルチユーザ／マルチサービスのデータパケットを集合させるための集合手段と、コンテナで運ばれるデータを符号化し変調するための符号化および変調手段と、コンテナ内の符号化され変調されたデータを物理リソースにマッピングするためのマッピング手段とを備えるアクセスポイントを提案する。
【００１２】
本発明はさらに、使用される符号化および変調方式、コンテナ内に含まれるユーザの数、及び符号化され変調されたデータと物理リソースの間のマッピング関係を制御チャネルを介して受信し、複数のユーザの識別子情報を運ぶコンテナヘッダと、複数のユーザのデータパケットを運ぶコンテナ本体とを備えるコンテナ内に集合されたマルチユーザ／マルチサービスのデータをトラフィックチャネルを介して受信するための受信手段と、受信手段によって制御チャネルを介して受信された情報、および受信手段によってトラフィックチャネルを介して受信されたコンテナ内に集合されたマルチユーザ／マルチサービスのデータに従って、コンテナを回復し、コンテナのコンテナヘッダ内のデータを復号するための回復および第１復号手段と、回復および第１復号手段によって取得されたコンテナヘッダ内のデータの復号化結果に従って、コンテナがそれに属するデータパケットを含むか否かを判断するための判断手段と、コンテナがそれに属するデータパケットを含むと判断する場合には、コンテナ本体内のデータを復号して、それによってそれに属するデータパケットを取得するための第２の復号手段とを備える移動端末を提案する。
【００１３】
好ましくは、同一のまたは同様のチャネル条件を有する複数のユーザのデータパケットが、アクセスポイント内の同一のコンテナ内にカプセル化される。
【００１４】
好ましくは、アクセスポイントは、使用される符号化および変調方式、コンテナ内に含まれるユーザの数、およびコンテナ内の符号化され変調されたデータと物理リソースの間のマッピング関係を制御チャネルを介してブロードキャストする。
【００１５】
好ましくは、無線通信システムは、直交周波数分割多重無線通信システムである。
【００１６】
本発明によれば、処理の遅延および待機が大きく低減されるように、ユーザのデータパケットは、長さが等しくない無線チャネルを介して送信され得る。
【発明を実施するための最良の形態】
【００１７】
以下に、本発明の特定の諸実施形態について詳細に述べる。
【００１８】
図１は、本発明の一実施形態による無線通信システムを示す概略図である。この図に示すように、無線通信システムは、アクセスポイント１１と、複数の移動端末１２１、１２２、…、１２Ｎとを備える。アクセスポイント１１は、エアインターフェース１３を介して複数の移動端末１２１、１２２、…、１２Ｎと通信する。シグナリングメッセージは制御チャネルを介してアクセスポイントと移動端末の間で伝送され、データパケットは、トラフィックチャネル（図示せず）を介して伝送信される。
【００１９】
便宜上、ユーザと移動端末の間の関係は１対１の対応であると仮定し、直交周波数分割多重（ＯＦＤＭ）無線通信システムが、本発明の特定の諸実施形態について述べるための一例として用いられる。もちろん、本発明は、他のタイプの無線通信システムにも適用され得ることを当業者には理解されたい。
【００２０】
オーバーヘッドを低減させるために、ＯＦＤＭ無線通信システムでは、ＯＦＤＭリソースは通常、時間および周波数に関してサブバンドに分割され、また１つのサブバンドは、１つまたは複数のＯＦＤＭシンボルのサブキャリアのクラスタであることも可能である。
【００２１】
本発明の一実施形態によれば、１つのスロットは、８つのＯＦＤＭシンボルからなり、それぞれのＯＦＤＭシンボルが１０２４個のサブキャリアを有するる。それぞれのＯＦＤＭシンボルは、いくつかの使用不可能のサブキャリアを除いて８９５個のサブキャリアを有し得る。１つのスロットの８つのＯＦＤＭシンボルのうち、２２４個のサブキャリアはパイロットのために使用され、２３０個のサブキャリアは制御チャネルのために使用され、したがって、実際に割当て可能なサブキャリアは、８９５×８−２２４−２３０＝６７０６である。次いで、こうしたサブキャリアは７つのサブバンドに分割され、それぞれのサブバンドが占有するサブキャリアは、６７０７÷７＝９５８である。
【００２２】
図２は、本発明の一実施形態による、マルチユーザ／マルチサービスを処理するアクセスポイントの処理を示すフローチャートである。
【００２３】
まずステップ２１で、アクセスポイントは、マルチユーザ／マルチサービスのデータパケットが複数の移動端末に送信されるべきかどうか決定する。場合によっては、アクセスポイントは、一部のユーザのデータパケットを移動端末に送信することを拒否し得る。たとえば、あるユーザがアクセスポイントの認証を許可されない場合、アクセスポイントは、このユーザのデータパケットのアクセスを拒否する。
【００２４】
アクセスポイントが、マルチユーザ／マルチサービスのデータパケットが複数の移動端末に送信されると決定した後に、このフローは、ステップ２２に進む。このステップで、アクセスポイントは、同じユーザの同じサービスのデータパケットをセグメント化しまたはアセンブルする。たとえば、あるユーザのデータパケットが大きすぎ、よって１つのスロットで送信されることができない場合には、アクセスポイントは、このデータパケットをセグメント化する。
【００２５】
ステップ２２が完了すると、このフローは、ステップ２３に進む。このステップで、アクセスポイントは、マルチユーザ／マルチサービスのデータパケットを集合させる。
【００２６】
本発明の一実施形態によれば、マルチユーザ／マルチサービスの集合されたデータパケットは、コンテナによって運ばれる。
【００２７】
本発明の一実施形態によれば、１つのスロット内に、マルチユーザ／マルチサービスの集合されたデータパケットを運ぶための１〜７つのコンテナがあることが可能であり、コンテナのサイズは、サブバンドが伝送できるデータの大きさ、すなわち１つのサブバンドが少なくとも伝送できるデータの大きさ、の整数倍であり、そして最大で、７つのサブバンドが伝送できるデータの大きさである。それぞれのコンテナは、複数の異なるユーザのデータパケット、または同じユーザの複数のサービスのデータパケット、または単一のユーザのデータパケットを運ぶことができる。それぞれのコンテナは、２つの部分、すなわちコンテナヘッダとコンテナ本体とを備える。コンテナヘッダはユーザの識別子情報を運ぶために使用され、コンテナ本体は、ユーザのデータパケットを運ぶために使用される。
【００２８】
一般に、類似のまたは同じチャネル条件を有する複数のユーザのデータパケットは、１つの同一のコンテナで運ばれる。
【００２９】
本発明の一実施形態によれば、６人のユーザのデータパケットが、１つのスロットで送信される必要があり、これらは３つのコンテナによって運ばれる。図３に図示するように、コンテナ０はユーザ１、２および５のデータパケットを運び、コンテナ１はユーザ４のデータパケットを運び、コンテナ３は、ユーザ３および６のデータパケットを運ぶ。
【００３０】
本発明の一実施形態によれば、コンテナの大きさは一定であり、すなわち１つのサブバンドが送信できるデータ、たとえば９５８のサブキャリアが送信できるデータの大きさである。１つのコンテナ内には、最大８ユーザのデータパケット、または８タイプのサービスのデータパケットを収容することができる。コンテナのコンテナヘッダの大きさは、ユーザのデータパケットの数によって変化する。すなわち、最大８ユーザのデータパケットを収容できるコンテナでは、そのコンテナヘッダは、８つの異なるサイズを有する。コンテナヘッダは、６ビットによって定義されるユーザの識別子（ＩＤ）情報、および巡回冗長検査（ＣＲＣ）符号のみを含む。データパケットに対応するユーザのＩＤが００００００である場合には、すべてのユーザがこのデータパケットを受信する必要があり、すなわちＩＤ＝００００００は、ブロードキャストアドレスに対応する。一般に、ブロードキャストアドレスがコンテナ内で使用される場合には、各ユーザのチャネル条件が考慮されるべきであり、すべてのユーザが良質のチャネル条件を有するサブバンドが選択されるべきである。
【００３１】
ユーザ間のデータパケットの境界は、コンテナ本体の開始部分にマーク付けされるべきである。本発明の一実施形態によれば、境界情報は、９ビットによって定義される。ユーザのデータパケットは、コンテナ本体の残り部分に順番に配置される。通常は、異なるタイプのデータパケットは、それぞれ異なる形式を有する。
【００３２】
図４は、４人のユーザのデータパケットを含むコンテナを示す概略図である。この図に示すように、コンテナヘッダは、第１のユーザのＩＤ、第２のユーザのＩＤ、第３のユーザのＩＤ、第４のユーザのＩＤおよびＣＲＣ情報を備える。コンテナ本体は、第１の境界情報、第２の境界情報、第３の境界情報、第１ユーザのデータパケット、第２ユーザのデータパケット、第３ユーザのデータパケット、および第４ユーザのデータパケットを備える。
【００３３】
本発明の別の実施形態によれば、コンテナ本体の中のユーザデータパケットは、データ領域内の第１のビットによって区別される２つのカテゴリに分割される。このビットは、説明を容易にするために、タイプと呼ばれる。２つのカテゴリのうちの１つは、タイプ＝０によって定義される通常のデータパケットであり、他方は、タイプ＝１によって定義される特殊なデータパケットである。
【００３４】
図５は、通常のデータパケットを示す概略図である。この図に示すように、このデータパケットは以下のフィールドを含む。その値が０に等しいタイプフィールド、通常８ビットであるサービス識別子フィールド、フィールドのビットの数が具体的な条件に依存するシリアル番号フィールド、送信されるデータパケットが含まれるデータパケットフィールド、およびＣＲＣフィールド。
【００３５】
タイプ＝１の場合、データパケットは、特殊なデータパケットである。本発明の一実施形態によれば、３つの特殊なデータパケットが提案され、この３つの特殊なデータパケットのそれぞれの具体的な意味は、３ビットで構成されており、且つタイプフィールドの後に続くプロトコルフィールドによって決定される。
【００３６】
たとえばプロトコル＝００１の場合、特殊なデータパケットは、たとえば移動端末にソースアドレス、ポート番号、および特定のサービスに対応する他の情報を通知する、アクセスポイントから移動端末に制御情報を送信するための制御パケットとして定義される。換言すると、制御パケットは、ユーザ専用の制御チャネルに相当し、またはブロードキャストアドレスが使用される場合にはブロードキャスト制御チャネルに相当する。
【００３７】
プロトコル＝０１１の場合には、特殊なデータパケットは、セグメント化パケットとして定義される。データパケットが１つのコンテナで送信するには大きすぎる場合には、データパケットは複数のパケットにセグメント化される必要があり、これはセグメント化パケットで送信される。典型的には、セグメント化パケットは、セグメント化後にそれがどのデータパケットであるかを具体的に示すためのもう１つのサブシリアル番号を除いて通常のパケットの構造を有する。さらに、第１のサブパケットは、セグメント化の前のデータパケットの長さの情報を含むべきである。
【００３８】
プロトコル＝０１０の場合、特殊なデータパケットは、データパケット全体であっても、セグメント化パケットのうちの１つであってもよい再送信データパケットを送信するための再送信パケットとして定義される。
【００３９】
もちろん、上記定義は例示的なものにすぎず、また必要性に応じて他の特殊なデータパケットも定義され得ることを当業者には理解されたい。
【００４０】
図２を再び参照すると、アクセスポイントがユーザのデータパケットを集合させた後に、フローは、ステップ２４に進む。このステップで、コンテナヘッダおよびコンテナ本体に含まれるデータは、符号化され変調される。
【００４１】
本発明の一実施形態によれば、チャネル関連のシグナリングに相当する、コンテナヘッダ内に含まれる情報は極めて重要であるので、コンテナヘッダ内に含まれるデータとコンテナ本体内に含まれるデータに対してそれぞれ異なる符号化が実施される。コンテナヘッダ内のデータについては、誤り発生の確率を最小限まで減らすために、強力な誤り訂正能力を備える符号化方式が適用され、コンテナ本体内のデータに関しては、必要性に応じて適切な符号化方式が選択される。たとえば、特定のコンテナ本体内に含まれるデータパケットが大変重要である場合には、強力な誤り訂正能力を備える符号化方式が採用され、コンテナ本体内のデータパケットの重要性がより低い場合には、効率を高めるために、少し弱い誤り訂正能力を備える符号化方式が採用される。
【００４２】
コンテナヘッダおよびコンテナ本体内の符号化されたデータは、２相位相偏移変調（ＢＰＳＫ）、４相位相偏移変調（ＱＰＳＫ）、１６値直交振幅変調（１６ＱＡＭ）、６４値直交振幅変調（６４ＱＡＭ）、および他の変調方式を使用して変調され得る。
【００４３】
符号化および変調ステップが完了すると、フローは、ステップ２５に進む。このステップで、コンテナ内の符号化され変調されたデータは、物理リソースすなわちサブバンドにマッピングされる。
【００４４】
本発明の一実施形態によれば、図３にちょうど示すように、コンテナ０内のデータはサブバンド０、３および５にマッピングされ、コンテナ１内のデータはサブバンド１および６にマッピングされ、コンテナ２内のデータはサブバンド２および４にマッピングされる。もちろん、上記マッピングは例示的なものにすぎないことを当業者には理解されたい。
【００４５】
上記の諸ステップを経て、アクセスポイントは、無線トラフィックチャネルを介して各移動端末に異なるユーザまたは異なるサービスのデータパケットを一緒に送信することができる。
【００４６】
各移動端末がそれに属するデータパケットを正確に受信できるようにするために、あらゆるスロットでアクセスポイントは、各コンテナ内のデータのサブバンドへのマッピング条件、各コンテナ内のデータの変調および符号化方式、各コンテナ内に含まれるユーザの数、ならびに他の情報を各移動端末に制御チャネルを介してブロードキャストする。
【００４７】
図６は、本発明の一実施形態による、マルチユーザ／マルチサービスを処理する移動端末のプロセスを示すフローチャートである。
【００４８】
まずステップ６１で、移動端末は、制御チャネルを介して各コンテナ内のデータのサブバンドへのマッピング条件、各コンテナ内のデータの変調および符号化方式、各コンテナ内に含まれるユーザの数などを取得する。
【００４９】
次いで、フローは、ステップ６２に進む。このステップで、ステップ６１で取得された情報に従って移動端末は、アクセスポイントによって送信される、各コンテナ内に含まれる複数のユーザのデータパケットをトラフィックチャネルを介して取得し、各コンテナを回復し、各コンテナのコンテナヘッダ内に含まれるデータを復号する。
【００５０】
次いで、フローは、ステップ６３に進む。このステップで、移動端末は、コンテナヘッダ内の復号されたデータに従って、コンテナがそれに属するデータパケットを含むかどうか判断する。コンテナがその移動端末に属するデータパケットを含まない場合には、フローは、ステップ６４に進む。そうでない場合は、フローは、ステップ６５に進む。
【００５１】
ステップ６４で、移動端末は、コンテナ内に含まれるデータパケットを廃棄する。
【００５２】
ステップ６５で、移動端末は、コンテナ本体内のデータを復号し、それに属するデータパケットをこのようにして取得する。
【００５３】
図７は、本発明の一実施形態によるアクセスポイントのブロック図を示す概略図である。
【００５４】
この図に示すように、本発明によるアクセスポイントは、移動端末に送信されるべきマルチユーザ／マルチサービスのデータパケットを決定するための決定手段７１と、決定手段７１を通過する、同じユーザの同じサービスのデータパケットをセグメント化しまたはアセンブルするためのセグメント化およびアセンブル手段７２と、セグメント化およびアセンブル手段７２を通過するマルチユーザ／マルチサービスのデータパケットを集合させるための集合手段７３と、集合手段７３を通過するマルチユーザ／マルチサービスのデータパケットを符号化し変調するための符号化および変調手段７４と、符号化され変調されたデータパケットを物理リソースにマッピングするためのマッピング手段７５とを備える。
【００５５】
その中でも集合手段は、マルチユーザ／マルチサービスのデータパケットを運ぶための複数のコンテナを備える。それぞれのコンテナは、コンテナヘッダおよびコンテナ本体を含む。コンテナヘッダはユーザの識別子情報を運ぶために使用され、コンテナ本体は、複数ユーザのデータパケットを運ぶために使用される。
【００５６】
図８は、本発明の一実施形態による移動端末のブロック図を示す概略図である。
【００５７】
図に示すように、本発明による移動端末は、各コンテナ内のデータのサブバンドへのマッピング条件、各コンテナ内のデータの符号化および変調方式、各コンテナ内に含まれるユーザの数、ならびにアクセスポイントから送信される他の情報を制御チャネルを介して受信し、そして各コンテナ内に含まれており、アクセスポイントから送信されるマルチユーザのデータパケットをトラフィックチャネルを介して受信するための受信手段８１と、受信手段８１によって受信される情報に従って、各コンテナを回復し、各コンテナのコンテナヘッダ内のデータを復号するための回復および第１復号手段８２と、回復および第１復号手段８２によるコンテナヘッダ内のデータの復号結果に従って、コンテナがそれに属するデータパケットを含むかどうか判断するための判断手段８３と、コンテナ本体内のデータを復号し、それによってそれに属するデータパケットを取得するための第２の復号手段８４とを備える。
【００５８】
本発明の概念および範囲から逸脱せずに、様々な変更および修正が行われ得る。本発明は特定の諸実施形態に限定されず、その範囲は添付の特許請求の範囲によって定められることを理解されたい。
【図面の簡単な説明】
【００５９】
【図１】本発明の一実施形態による無線通信システムを示す概略図である。
【図２】本発明の一実施形態による、マルチユーザ／マルチサービスを処理するアクセスポイントの処理を示すフローチャートである。
【図３】本発明の一実施形態による、コンテナが複数の異なるユーザのデータパケットを運び、及びコンテナがサブバンドにマッピングされる場合を示す概略図である。
【図４】４人のユーザのデータパケットを含むコンテナを示す概略図である。
【図５】通常のデータパケットを示す概略図である。
【図６】本発明の一実施形態による、マルチユーザ／マルチサービスを処理する移動端末のプロセスを示すフローチャートである。
【図７】本発明の一実施形態によるアクセスポイントのブロック図を示す概略図である。
【図８】本発明の一実施形態による移動端末のブロック図を示す概略図である。
【符号の説明】
【００６０】
１１  アクセスポイント
７１  決定手段
７２  セグメント化およびアセンブル手段
７３  集合手段
７４  符号化および変調手段
７５  マッピング手段
８１  受信手段
８２  回復および第１復号手段
８３  判断手段
８４  第２復号手段
１２１、１２２、１２Ｎ  移動端末
【図１】
2006094484.tif 000003
【図２】
2006094484.tif 000004
【図３】
2006094484.tif 000005
【図４】
2006094484.tif 000006
【図５】
2006094484.tif 000007
【図６】
2006094484.tif 000008
【図７】
2006094484.tif 000009
【図８】
2006094484.tif 000010
【外国語明細書】
2006094484.tif 000011
2006094484.tif 000012
2006094484.tif 000013
2006094484.tif 000014
2006094484.tif 000015
2006094484.tif 000016
2006094484.tif 000017
2006094484.tif 000018
2006094484.tif 000019
2006094484.tif 000020
2006094484.tif 000021
2006094484.tif 000022
2006094484.tif 000023
2006094484.tif 000024
2006094484.tif 000025
2006094484.tif 000026
2006094484.tif 000027
2006094484.tif 000028
2006094484.tif 000029
2006094484.tif 000030
2006094484.tif 000031
2006094484.tif 000032
2006094484.tif 000033
2006094484.tif 000034
2006094484.tif 000035
2006094484.tif 000036
2006094484.tif 000037
2006094484.tif 000038
2006094484.tif 000039
2006094484.tif 000040
2006094484.tif 000041
2006094484.tif 000042